(57)【要約】【課題】本発明は、側突判定装置及び乗員保護装置の起動制御装置に関し、悪路走行時にドア閉が行われたと誤判定されるのを防止して、車両停車時を含め常に側面衝突を正確に判定することにある。【解決手段】車両ドアに配設されて車幅方向に加わる加速度に応じた信号を出力する加速度センサと、加速度センサの出力信号に基づく加速度の積分値に基づいて、車両ドアに車内向きの力が作用するか或いは車外向きの力が作用するかを判定する極性判定手段と、を備え、極性判定手段により車両ドアに車内向きの力が作用すると判定される場合に、自車両に側面衝突が発生したことを判定する側突判定装置において、自車両が走行しているか或いは停車しているかを判定し、その結果、自車両が走行していると判定される場合は、停車していると判定される場合に比して、極性判定手段による車両ドアに車外向きの力が作用するとの判定をし難くする。【選択図】図２
2011131709.tif 000002
【特許請求の範囲】
【請求項１】
車両ドアに配設されて車幅方向に加わる加速度に応じた信号を出力する加速度センサと、前記加速度センサの出力信号に基づく前記加速度の積分値に基づいて、車両ドアに車内向きの力が作用するか或いは車外向きの力が作用するかを判定する極性判定手段と、を備え、前記極性判定手段により車両ドアに車内向きの力が作用すると判定される場合に、自車両に側面衝突が発生したことを判定する側突判定装置であって、
自車両が走行しているか或いは停車しているかを判定する走行／停車判定手段と、
前記走行／停車判定手段により自車両が走行していると判定される場合は、停車していると判定される場合に比して、前記極性判定手段による車両ドアに車外向きの力が作用するとの判定をし難くする極性判定閾値変更手段と、
を備えることを特徴とする側突判定装置。
【請求項２】
請求項１記載の側突判定装置により自車両に側面衝突が発生したことが判定される場合に、車両乗員を保護するために設けられた乗員保護装置を起動させ、一方、前記極性判定手段により車両ドアに車外向きの力が作用すると判定されることにより自車両に側面衝突が発生しなかったことが判定される場合に、前記乗員保護装置の起動を禁止する起動制御装置。
【発明の詳細な説明】
【技術分野】
【０００１】
本発明は、側突判定装置及び乗員保護装置の起動制御装置に係り、特に、車両ドアに設けられた加速度センサを用いて自車両に生じたか否かを判定すべき側面衝突を、車両ドアの閉じや悪路走行と区別して判定するうえで好適な側突判定装置及び乗員保護装置の起動制御装置に関する。
【背景技術】
【０００２】
従来、車両の側面衝突をドア閉めと区別して判定する側突判定装置が知られている（例えば、特許文献１参照）。この判定装置は、車両の左右方向への加速度に応じた信号を出力する加速度センサを備えており、車両の左右方向に生ずる加速度と速度との関係について、中速度及び高速度での衝突時に乗員保護装置を展開するＯＮ要件と、低速度での衝突時及び停車時のドア閉時に展開しないＯＦＦ要件とを切り分けることとしている。この判定装置を有する起動制御装置においては、加速度センサの出力に基づく加速度及び速度がＯＮ要件を満たす場合に乗員保護装置が起動され、一方、その加速度及び速度がＯＦＦ要件を満たす場合に乗員保護装置の起動が禁止される。
【先行技術文献】
【特許文献】
【０００３】
【特許文献１】特開２００５−２８９３７６号公報
【発明の概要】
【発明が解決しようとする課題】
【０００４】
ところで、上記の如く乗員保護装置の展開のＯＮ要件とＯＦＦ要件とを切り分けた左右方向への加速度と速度との関係のみを基に側突判定が行われると、車両ドアが開状態から強い勢いで閉じられただけであるにもかかわらず、側面衝突が生じたものと誤判定してしまうおそれがある。
【０００５】
車両の側面衝突では車体に車内向きの力が加わる一方、ドア閉では車体に車外向きの力が加わるので、側面衝突とドア閉とを区別して判定するうえでは、加速度センサによる加速度に基づいて衝撃力が車内向きに生じているのか或いは車外向きに生じているのかを区別して検出する極性判定を行うことが有効である。
【０００６】
しかし、車両が悪路を走行した時は車外向きに大きな衝撃力が加わることがあるが、側面衝突とドア閉とを区別して判定するのに必要な極性判定に加速度センサによる加速度のみを用いるものとすると、悪路走行時、ドア閉が行われたと誤判定されて、実際には車両に側面衝突が生じているにもかかわらず側面衝突が生じたとの判定を得られないおそれがある。
【０００７】
車両ドアが開から閉へ移行するのは一般的に車両が停車しているときである一方、車両が悪路走行を行うのは車両が走行しているときであるので、車速センサなどを用いて車両が走行していることが検出されかつ極性判定により車内向きの衝撃力が作用した場合に側面衝突が生じたと判定する手法が考えられる。しかし、かかる手法では、自車両の悪路走行中に車外向きに力が作用した場合はドア閉が行われたと誤判定されるのを回避することはできるが、自車両停車中に側方からの他車両との衝突により車内向きの衝撃力が作用しても、側面衝突が生じたとの判定を得られないおそれがある。
【０００８】
本発明は、上述の点に鑑みてなされたものであり、悪路走行時にドア閉が行われたと誤判定されるのを防止して、車両停車時を含め常に側面衝突を正確に判定することが可能な側突判定装置及び乗員保護装置の起動制御装置を提供することを目的とする。
【課題を解決するための手段】
【０００９】
上記の目的は、車両ドアに配設されて車幅方向に加わる加速度に応じた信号を出力する加速度センサと、前記加速度センサの出力信号に基づく前記加速度の積分値に基づいて、車両ドアに車内向きの力が作用するか或いは車外向きの力が作用するかを判定する極性判定手段と、を備え、前記極性判定手段により車両ドアに車内向きの力が作用すると判定される場合に、自車両に側面衝突が発生したことを判定する側突判定装置であって、自車両が走行しているか或いは停車しているかを判定する走行／停車判定手段と、前記走行／停車判定手段により自車両が走行していると判定される場合は、停車していると判定される場合に比して、前記極性判定手段による車両ドアに車外向きの力が作用するとの判定をし難くする極性判定閾値変更手段と、を備える側突判定装置により達成される。
【００１０】
この態様の発明において、極性判定手段は、車両ドアの加速度センサの出力信号に基づく車幅方向への加速度の積分値に基づいて、車両ドアに車内向きの力が作用するか或いは車外向きの力が作用するかを判定するが、その極性判定手段による車両ドアに車外向きの力が作用するとの判定は、自車両が走行している場合は停車している場合に比してし難い。車両ドアが開から閉へ移行するのは車両が停車しているときである一方、車両が悪路走行を行うのは車両が走行しているときである。このため、本発明によれば、車両が悪路を走行する際にドア閉が行われたと誤判定されるのを防止することができる。また、本発明においては、車両停車中は通常どおり極性判定を行うので、車両の側面衝突をドア閉と区別して判定することができる。従って、車両停車時を含め常に側面衝突を正確に判定することができる。
【００１１】
尚、上記した側突判定装置により自車両に側面衝突が発生したことが判定される場合に、車両乗員を保護するために設けられた乗員保護装置を起動させ、一方、前記極性判定手段により車両ドアに車外向きの力が作用すると判定されることにより自車両に側面衝突が発生しなかったことが判定される場合に、前記乗員保護装置の起動を禁止する起動制御装置は、側面衝突の判定に基づく乗員保護装置の起動制御を適切に行うことうえで好適である。
【発明の効果】
【００１２】
本発明によれば、悪路走行時にドア閉が行われたと誤判定されるのを防止して、車両停車時を含め常に側面衝突を正確に判定することができる。
【図面の簡単な説明】
【００１３】
【図１】本発明の一実施例である側突判定装置を備える乗員保護装置の起動制御装置のシステム構成図である。
【図２】本実施例の側突判定装置及び起動制御装置におけるＥＣＵ内部の論理構成図である。
【図３】本実施例の側突判定装置及び乗員保護装置の起動制御装置において実行される制御ルーチンの一例のフローチャートである。
【発明を実施するための形態】
【００１４】
以下、図面を用いて、本発明の具体的な実施の形態について説明する。
【００１５】
図１は、本発明の一実施例である側突判定装置１０を備える乗員保護装置の起動制御装置１２のシステム構成図を示す。本実施例の側突判定装置１０は、自車両の側面で発生する衝突（側面衝突）の有無を判定する装置であり、また、乗員保護装置の起動制御装置１２は、側突判定装置１０の判定結果に基づいて車両乗員を保護する乗員保護装置としての側突用エアバッグの起動を制御する装置である。
【００１６】
図１に示す如く、側突判定装置１０は、起動制御装置１２の一部を構成している。側突判定装置１０及び起動制御装置１２は、マイクロコンピュータを主体に構成された共通の電子制御ユニット（以下、ＥＣＵと称す）１４を備えている。ＥＣＵ１４は、ＣＰＵや入出力インタフェース，ＲＯＭ，ＲＡＭ等を有しており、予め定められた所定のプログラムに従って側突判定及びエアバッグ起動制御を実行する。ＥＣＵ１４には、加速度センサ１６，１８が電気的に接続されている。
【００１７】
加速度センサ１６は、車両の左側ドアに配設されており、左側ドアにそのドア面に対して法線方向（すなわち、そのドアを挟んで車内外を結ぶドア開方向及びドア閉方向；以下、車幅方向とする。）に加わる加速度に応じて信号を出力する。また、加速度センサ１８は、車両の右側ドアに配設されており、右側ドアにそのドア面に対して法線方向（すなわち、そのドアを挟んで車内外を結ぶドア開方向及びドア閉方向；以下、車幅方向とする。）に加わる加速度に応じて信号を出力する。ＥＣＵ１４は、加速度センサ１６の出力信号に基づいて車両の左側ドアに加わる加速度Ｇを検出すると共に、加速度センサ１８の出力信号に基づいて車両の右側ドアに加わる加速度Ｇを検出する。
【００１８】
ＥＣＵ１４には、また、車速センサ２０が電気的に接続されている。車速センサ２０は、自車両の車速に応じた信号を出力するセンサである。ＥＣＵ１４は、車速センサ２０の出力信号に基づいて自車両の車速ＳＰＤを検出すると共に、その車速ＳＰＤが予め定められた所定値ＳＰＤ０以下であるか否かを判別する。尚、所定値ＳＰＤ０は、車両が略停車していると判断できる車速の上限値である。
【００１９】
ＥＣＵ１４には、更に、エアバッグアクチュエータ２２が電気的に接続されている。エアバッグアクチュエータ２２は、車両乗員のシート側部やフロントピラーやリーフサイドレール内側に配設されたサイドエアバッグやカーテンシールドエアバッグを膨張展開するための機器である。ＥＣＵ１４は、自車両に側面衝突が発生したと判定した場合に、エアバッグアクチュエータ２２に対して展開指令を発する。
【００２０】
次に、図２及び図３を参照して、本実施例の側突判定装置１０及び起動制御装置１２のより具体的な構成及び動作について説明する。
【００２１】
図２は、本実施例の側突判定装置１０及び起動制御装置１２におけるＥＣＵ１４内部の論理構成図を示す。
【００２２】
本実施例において、ＥＣＵ１４は、図２に示す如く、ドアＧ衝突判定Ｈｉ部３０及びドアＧ衝突判定Ｌｏ部３２を有している。ドアＧ衝突判定Ｈｉ部３０は、車両ドアに加わる加速度が、自車両に側面衝突が生じていると確実に判断できる程度に大きいか否かを判定するための部位である。また、ドアＧ衝突判定Ｌｏ部３２は、車両ドアに加わる加速度が、確実ではないが自車両に側面衝突が生じている可能性があると判断できる程度に大きいか否かを判定するための部位である。ドアＧ衝突判定Ｈｉ部３０及びドアＧ衝突判定Ｌｏ部３２にはそれぞれ、加速度センサ１６，１８の出力信号が入力される。ドアＧ衝突判定Ｈｉ部３０及びドアＧ衝突判定Ｌｏ部３２はそれぞれ、加速度センサ１６，１８の出力信号に基づいて上記の判定を行い、車両ドアに加わる加速度Ｇが上記の所定値未満である場合にＬｏ信号を出力し、一方、その加速度Ｇが上記の所定値以上である場合にＨｉ信号を出力する。
【００２３】
ＥＣＵ１４は、また、極性判定部３４を有している。極性判定部３４は、車両ドアに車幅方向に加わる力の方向が車内向きであるか或いは車外向きであるかを判定するための部位である。極性判定部３４には、加速度センサ１６，１８の出力信号が入力されると共に、車速センサ２０の出力信号が入力される。極性判定部３４は、加速度センサ１６，１８の出力信号及び車速センサ２０の出力信号に基づいて上記の判定を行い、車両ドアに車幅方向に加わる力の方向が車外向きである場合にＬｏ信号を出力し、一方、その力の方向が車内向きである場合にＨｉ信号を出力する。
【００２４】
ＥＣＵ１４は、また、ＡＮＤ回路３６及びＯＲ回路３８を有している。ＡＮＤ回路３６には、ドアＧ衝突判定Ｌｏ部３２の出力信号及び極性判定部３４の出力信号が入力される。ＡＮＤ回路３６は、ドアＧ衝突判定Ｌｏ部３２の出力信号及び極性判定部３４の出力信号の少なくとも何れか一方がＬｏ信号である場合にＬｏ信号を出力し、一方、両出力信号が共にＨｉ信号である場合にＨｉ信号を出力する。
【００２５】
ＯＲ回路３８には、ドアＧ衝突判定Ｈｉ部３０の出力信号及びＡＮＤ回路３６の出力信号が入力される。ＯＲ回路３８は、ドアＧ衝突判定Ｌｏ部３２の出力信号及び極性判定部３４の出力信号の双方がＬｏ信号である場合に、自車両に側面衝突は生じていないとしてＬｏ信号を出力し、一方、両出力信号の少なくとも何れか一方がＨｉ信号である場合に、自車両に側面衝突が生じたとしてエアバッグアクチュエータ２２に対して展開指令を発するＨｉ信号を出力する。
【００２６】
図３は、本実施例の側突判定装置１０及び乗員保護装置の起動制御装置１２においてＥＣＵ１４が実行する制御ルーチンの一例のフローチャートを示す。
【００２７】
本実施例において、ＥＣＵ１４は、起動後、所定の演算時間ごとに、加速度センサ１６，１８の出力信号に基づいて左側及び右側の車両ドアそれぞれに加わる加速度Ｇを検出する（ステップ１００）。そして、左側及び右側の車両ドアそれぞれについて、上記の如く加速度Ｇ（ｔ）を検出すると、その検出加速度Ｇ（ｔ）が第１の閾値Ｇ０Ｈｉ以上であるか否かを判別する（ステップ１０２）。尚、第１の閾値Ｇ０Ｈｉは、車両ドアの強閉でも到達し得ない、自車両に側面衝突が生じていると確実に判断できる車両ドアに加わる加速度Ｇの下限値であるＨｉ判定用閾値である。
【００２８】
その判別の結果、Ｇ（ｔ）≧Ｇ０Ｈｉが成立する場合は、自車両に側面衝突が生じたと確実に判断できるので、自車両に側面衝突が生じたと判定する（ステップ１０４）。そして、かかる側面衝突判定に基づいてエアバッグアクチュエータ２２に対して展開指令を発するＨｉ信号を出力する（ステップ１０５）。この場合には、エアバッグアクチュエータ２２が作動することによりサイドエアバッグ等が膨張展開される。
【００２９】
一方、Ｇ（ｔ）≧Ｇ０Ｈｉが成立しない場合は、次に、上記の検出加速度Ｇ（ｔ）が第２の閾値Ｇ０Ｌｏ以上であるか否かを判別する（ステップ１０２）。尚、第２の閾値Ｇ０Ｌｏは、自車両に側面衝突が生じている可能性があると判断できる車両ドアに加わる加速度Ｇの下限値である、上記の第１の閾値Ｇ０Ｈｉよりも小さいＬｏ判定用閾値である。第２の閾値Ｇ０Ｌｏの加速度が生ずるのは、車両ドアへ外部から衝突が発生した場合或いは車両ドアの強閉が行われた場合の何れかである。
【００３０】
その判別の結果、Ｇ（ｔ）≧Ｇ０Ｌｏが成立しない場合は、自車両への側面衝突や車両ドアの強閉は行われていないと判断できるので、以後、何ら処理を進めることなく今回のルーチンを終了する。一方、Ｇ（ｔ）≧Ｇ０Ｌｏが成立する場合は、次に、車速センサ２０に基づいて自車両の車速ＳＰＤを検出し、その検出車速ＳＰＤが車両が略停車していると判断できる車速の上限値である所定値ＳＰＤ０以下であるか否かを判別する（ステップ１０８）。
【００３１】
その判別の結果、ＳＰＤ≦ＳＰＤ０が成立する場合は、後述の積分演算に用いる減衰係数ａを“１”にセットする処理を行う（ステップ１１０）。一方、ＳＰＤ≦ＳＰＤ０が成立しない場合は、後述の積分演算に用いる減衰係数ａを“１”よりも極めて小さく略ゼロに近いａ０にセットする処理を行う（ステップ１１２）。
【００３２】
ＥＣＵ１４は、上記ステップ１１０又は１１２において減衰係数ａをセットすると、次に、上記の如く検出した検出加速度Ｇ（ｔ）に基づいて次式（１）に示す如く所定時間分だけ時間積分する処理を行う（ステップ１１４）。尚、ＶはＧの時間積分値であり、Ｖ（ｔ）は（１）式に従って演算した現在値であり、Ｖ（ｔ−１）は現演算から一演算時間前に（１）式に従って演算した値である。
【００３３】
Ｖ（ｔ）＝ａ・Ｖ（ｔ−１）＋Ｇ（ｔ）                        ・・・（１）
次に、ＥＣＵ１４は、上記ステップ１１４において演算した加速度Ｇの時間積分値Ｖ（ｔ）が所定値Ｖ０以上であることで、車両ドアに車幅方向に発生した速度の極性が、車両ドアへの外部からの衝突が生じた際に通常発生すべき方向の速度の極性に対して反転しているか否かを判別する（ステップ１１６）。尚、この所定値Ｖ０は、車両ドアに車外向きの力が加わったか否かを判定するための閾値である。
【００３４】
その判別の結果、Ｖ（ｔ）≧Ｖ０が成立する場合は、車両ドアに車幅方向に所定以上の車外向きの力が加わったと判断して、自車両への側面衝突は生じておらず車両ドアが強閉されたと判定する（ステップ１１８）。この場合には、エアバッグアクチュエータ２２は作動せずサイドエアバッグ等の膨張展開は行われない。一方、Ｖ（ｔ）≧Ｖ０が成立しない場合は、車両ドアに車幅方向に所定以上の力が加わったがその力の方向が車外向きでないと判断して、車両ドアは強閉されておらず自車両に側面衝突が生じたと判定し（ステップ１０４）、そして、エアバッグアクチュエータ２２に対して展開指令を発するＨｉ信号を出力する（ステップ１０５）。この場合には、エアバッグアクチュエータ２２が作動することによりサイドエアバッグ等が膨張展開される。
【００３５】
このように本実施例においては、車両ドアに車幅方向への加速度Ｇが第１の閾値Ｇ０Ｈｉ以上である程度の極めて大きな衝撃力が加わる場合、車両ドアの車幅方向への速度の極性に関係なく、自車両に側面衝突が生じたと判定することができる。また、車両ドアに車幅方向への加速度Ｇが第２の閾値Ｇ０Ｌｏ以上かつ第１の閾値Ｇ０Ｈｉ未満である程度の衝撃力が加わる場合は、極性判定によりその衝撃力の方向が車内向きであるときに自車両に側面衝突が生じたと判定し、一方、極性判定によりその衝撃力の方向が車外向きであるときに車両ドアの強閉が行われたと判定することができる。
【００３６】
また、本実施例においては、車両ドアに車幅方向への加速度Ｇが第２の閾値Ｇ０Ｌｏ以上かつ第１の閾値Ｇ０Ｈｉ未満である程度の衝撃力が加わる場合において側面衝突とドア閉とを区別するうえで、極性判定部３４にてその衝撃力の方向が車内向きであるか或いは車外向きであるのかを判定する極性判定が行われる。この極性判定部３４による極性判定は、加速度センサ１６，１８に基づく加速度Ｇの時間積分値に基づいて行われるが、その時間積分演算は、自車両の車速ＳＰＤに応じて減衰係数ａを異なるものとしている。
【００３７】
具体的には、この時間積分演算における減衰係数ａは、自車両が走行している場合は停車している場合に比して極めて小さく、これにより、自車両が走行している場合は停車している場合に比して、車両ドアに車幅方向に所定以上の力が加わった際にその力の方向が車外向きであるとの判定がし難くなる。車両ドアが開から閉へ移行するのは車両が停車しているときである一方、車両が悪路走行を行うのは車両が走行しているときである。このため、本実施例によれば、車両ドアに車幅方向に比較的大きな加速度が加わることがあり得る悪路走行時に、車両ドアが強閉されたと誤判定されるのを防止することができる。
【００３８】
尚、自車両が停車している場合は、車両ドアに車幅方向に所定以上の力が加わった際にその力の方向が車外向きであるとの判定がし難くなることは無く、自車両の側面衝突と車両ドアの強閉とを区別して判定することが可能である。
【００３９】
従って、本実施例の側突判定装置１０によれば、車両停車時を含め常に自車両の側面衝突を正確に判定することができ、例えば、悪路走行時に側面衝突が生じた際にも、車両ドアが強閉されたと誤判定されることは無く、その側面衝突の発生を検知することが可能であり、また、車両停車時に車両ドアが強閉された際にも、側面衝突が生じたと誤判定されることは無く、車両ドアの強閉の発生を検知することが可能である。
【００４０】
更に、本実施例においては、自車両が側面衝突したと判定されると、自車両の乗員を保護するサイドエアバッグやカーテシシールドエアバッグが膨張展開され、一方、車両ドアが強閉されたと判定されると、そのエアバッグの膨張展開が禁止される。従って、本実施例の起動制御装置１２によれば、自車両の側面衝突が正確に判定されることで、側面衝突の判定に基づくエアバッグの起動制御を適切に行うことが可能であり、側面衝突が生じていないにもかかわらずエアバッグが不必要に膨張展開したり或いは逆に側面衝突が生じているにもかかわらずエアバッグの膨張展開が禁止されるなどの不都合が生ずるのを回避することが可能である。
【００４１】
尚、上記の実施例においては、極性判定部３４が特許請求の範囲に記載した「極性判定手段」に、ＥＣＵ１４が上記図３に示すルーチン中ステップ１０８の処理を実行することが特許請求の範囲に記載した「走行／停車判定手段」に、ＥＣＵ１２がステップ１１０〜１１４の処理を実行することが特許請求の範囲に記載した「極性判定閾値変更手段」に、それぞれ相当している。
【００４２】
ところで、上記の実施例においては、車両が走行しているか或いは停車しているかを判定するのに車両の車速ＳＰＤを検出する車速センサ２０を用いることとしているが、本発明はこれに限定されるものではなく、その判定を行うのに、その車速センサ２０による車速ＳＰＤに代えて或いはその車速ＳＰＤと共に、サイドブレーキのオン／オフや車外カメラによる画像変化などを用いることとしてもよい。
【００４３】
また、上記の実施例においては、自車両に側面衝突が生じたと判定するのは、車両ドアの車幅方向への速度の極性に関係なくその車両ドアに車幅方向への加速度Ｇが第１の閾値Ｇ０Ｈｉ以上である程度の極めて大きな衝撃力が加わる場合と、車両ドアに車幅方向への加速度Ｇが第２の閾値Ｇ０Ｌｏ以上かつ第１の閾値Ｇ０Ｈｉ未満である程度の衝撃力が加わりかつ極性判定によりその衝撃力の方向が車内向きである場合と、であるが、車両ドアに車幅方向への加速度Ｇが第１の閾値Ｇ０Ｈｉ以上である程度の極めて大きな衝撃力が加わる場合にも、その衝撃力の方向が車内向きであるときに限り、自車両に側面衝突が生じたと判定することとしてもよい。尚、この場合は、衝撃力の方向が車外向きであるか或いは車内向きであるかの極性判定において、車速ＳＰＤの大きさに関係なくすなわち（１）式に従うことなく加速度Ｇの時間積分を行うこととすればよい。
【００４４】
また、上記の実施例においては、第１の閾値Ｇ０Ｈｉと第２の閾値Ｇ０ＬＯとの２つの閾値からなる一次元マップ上で加速度センサ１６，１８による加速度Ｇ自体の大小比較を行うことで、自車両に側面衝突が生じたか否かの判定を行うこととしているが、加速度と時間積分値との関係を示した二次元マップ上で加速度センサ１６，１８による加速度Ｇとその時間積分値Ｖとの関係の大小比較を行うことで、自車両に側面衝突が生じたか否かの判定を行うこととしてもよい。
【符号の説明】
【００４５】
１０  側突判定装置
１２  起動制御装置
１４  電子制御ユニット（ＥＣＵ）
１６，１８  加速度センサ
２０  車速センサ
２２  エアバッグアクチュエータ
３２  ドアＧ衝突判定Ｌｏ部
３４  極性判定部
３６  ＡＮＤ回路
【図１】
2011131709.tif 000003
【図２】
2011131709.tif 000004
【図３】
2011131709.tif 000005